(57)【要約】      （修正有）【課題】同時に二個の育苗箱を楽な姿勢で持ち運びできる水稲用育苗箱の挟持移動具を提供する。【解決手段】一対の手持部２２を開閉すると、一対の細幅の鋼板片２０が開閉するようになし、細幅の鋼板片２０の下端に形成した複数の爪片２７が育苗箱を挟持するようにする。棚田のような不定型な水田での田植えの作業での予備の育苗箱の配置を楽な姿勢で行える。【選択図】図４
0003196172.tif 000002
【実用新案登録請求の範囲】
【請求項１】
一対の手持部を開閉すると、一対の下部細巾鋼板片が開閉するようになし、前記下部細巾鋼板片の下端に形成した複数の爪片が育苗箱を挟持するようにした特徴とする水稲用育苗箱の挟持移動具。
【請求項２】
一対の前方鋼板片と一対の後方鋼板片とからなる所定長さの一対の細幅の鋼板片の上方交叉部に軸支部を形成してなる開閉鋼板片と、この軸支部の上方の上方斜板の上端部を連結してなる固定連結レバーと、各該開閉鋼板片のほぼ中央部に捩部より下部直状片の下端に内側方向に曲折してなる爪片と、からなることを特徴とする水稲用育苗箱の挟持移動具。
【請求項３】
所定長さの一対の細幅の鋼板片の上方に交叉部に軸支部を形成し、該軸支部の上方部に形成された手持部と、該手持部の開閉に対応して開閉する下部細巾鋼板片と、下部細巾鋼板片の下部に固定され且つ補強板により補強された長手状抱持板と、この長手状抱持板の両端部に形成した爪片とからなることを特徴とする水稲用育苗箱の挟持移動具。
【考案の詳細な説明】
【背景技術】
【０００１】通常の水稲用育苗箱は幅約３０センチメートル、長さ約６０センチメートル、厚さ約３センチメートルの浅い盆状の箱に床土を入れてその上に薄く覆土をして稲苗を発芽させる。このような育苗箱を利用の田植機を使った田植が現在日本で一般的に行われている。【０００２】棚田等の比較的小面積の農地では小型田植え機が使用される。当初、田植機に複数個の育苗箱を積載して田植を開始するが、積載した育苗箱をすべて植え終わると、各所最も近くに置かれた稲苗の入った予備育苗箱を空箱に代えて予備育苗箱を積込み、これを順次に田植することが行われている。この再度積込み用の予備育苗箱を田植機を操作する人の勘で水田の外週部の各所に配置していた。この考案は従来、一箱毎に配置していた予備育苗箱の配置を一人二箱を持ち運びできるようにしたものである。
【考案の概要】
【０００３】そこでこの考案は、従来田植え従業者が一箱毎に再度積込み用の予備育苗箱を配置していたのを、両手に予備育苗箱を手持ちして配置しようとするものであって、田植え準備の効率化しようとしたものである。
【０００４】複数個の再度積込み用育苗箱を両手に一箱を手持ちして配置しようとするものは、今のところ現在のところ特許文献として存在しない。
【０００５】請求項１の考案は、一対の手持部を開閉すると、一対の下部細巾鋼板片が開閉するようになし、前記下部細巾鋼板片の下端に形成した複数の爪片が育苗箱を挟持するようにした特徴とする水稲用育苗箱の挟持移動具としたものである。
【０００６】請求項２の考案は、一対の前方鋼板片と一対の後方鋼板片とからなる所定長さの一対の細幅の鋼板片の上方交叉部に軸支部を形成してなる開閉鋼板片と、この軸支部の上方の上方斜板の上端部を連結してなる一対の固定連結レバーと、各該開閉鋼板片のほぼ中央部に捩部より下部直状片の下端に内側方向に曲折してなる爪片と、からなることを特徴とする水稲用育苗箱の挟持移動具としたものである。
【０００７】請求項３の考案は、所定長さの一対の細幅の鋼板片の上方に交叉部に軸支部を形成し、該軸支部の上方部に形成された手持部と、該手持部の開閉に対応して開閉する下部細巾鋼板片と、下部細巾鋼板片の下部に固定され且つ補強板により補強された長手状抱持板と、この長手状抱持板の両端部に形成した爪片とからなることを特徴とする水稲用育苗箱の挟持移動具としたものである。
【０００８】請求項１の効果として、一対の固定連結レバーの適当な位置を内側方向に把持すれば育苗箱を下方直状鋼板片の下端部を内側方向に曲折した爪部にて把持することが出来る。
【０００９】請求項２の効果として、前方鋼板片と後方鋼板片の下部幅を育苗箱の幅に対応せしめてあ育苗箱の持ち運びが安定する。
【００１０】請求項３の効果として、手持部が中央部のみとしてあるので誰でも手持部が定位置に限定されているから手持ちが容易であるから育苗箱の挟持移動具手持ちが安定して作業することができる。
【考案を実施するための形態】
【００１１】図１〜図３において、平板状の鋼材よりなる所定長さの一対の細幅の鋼板片１、１の上方部に形成される軸支部３を中心に前記一対の細幅の鋼板片１、１を開閉可能にしてある。この一対の細幅の鋼板片１、１は、前方鋼板片１ａ、１ａ及び  後方鋼板片１ｂ、１ｂとからなっている。したがって、一対の細幅の鋼板片１、１には合計４個の細幅の鋼板片を使用してある。前方鋼板片１ａ、１ａ及び  後方鋼板片１ｂ、１ｂは育苗箱の短幅とほぼ等しくしてあるので持ち運びに適する幅としてある。
【００１２】軸支部３のの下部は、前記のように上方斜板４と下方直状鋼板片５との中間部に捩部７が形成されている。各下部抱持面１０の下端を内側方向に突出せしめたそれぞれ爪部１１を形成してある。捩部７は上方斜板４を直角方向に捩じることにより下方直状鋼板片５及び下部抱持面１０の内面が育苗箱Ａをの外面に沿うようにしてある。下部抱持面１０の下端部を内側方向に折り曲げ爪部１１を形成してある。図１では、平板状の上方斜板４及び下方直状鋼板片６を梨地状模様に表示して示した。上方斜板４と後方斜板４の上方部の間を二本の固定連結レバー８、８を固定架設してある。
【００１３】図１において、手持部となっている二本の固定連結レバー８、８を矢印イのように閉鎖方向に動かせば、前記したように細幅の鋼板片１、１の全体、即ち前方鋼板片１ａ、１ａと、後方鋼板片１ｂ、１ｂと、上方斜板４、４と、下方直状鋼板片５、５及び爪部１１が同時的に閉方向に動き育苗箱Ａを抱持するので、育苗箱Ａを自由に移動することができる。
【００１４】育苗箱Ａを抱持した状態で、この育苗箱の挟持移動具を図２に示すように、細幅の鋼板片１、１と、前方鋼板片１ａ、１ａと、後方鋼板片１ｂ、１ｂと、上方斜板４、４と、下方直状鋼板片５、５で示されるその外郭形状はほぼ切妻屋根の家屋の外観を呈している。
【００１５】水稲の育苗箱Ａの詳細は示さないが、深さ約３センチメートル、長さ約６８センチメートル、幅約２７センチメートルであって底板部にはほぼ等間隔に形成され、約１２５０程度の稲種、育苗用の孔部に稚芽が３０センチメートル前後に成長した段階で本田に移植して田植えを行う。
【００１６】図４において、所定長さの一対の細幅の鋼板片２０の上方交叉部に軸支部２１を設け、一対の細幅の鋼板片２０、２０は軸支部２１を中心として開閉可能としてある。軸支部２１の上方は手持部２２の開閉と共に軸支部２１の下部開閉レバー２３、２３も開閉する。
【００１７】下部開閉レバー２３、２３は、ほぼその中央部に捩部２５において内側方向に直角方向に捩じってある。曲折して下板２８、２８を形成し、この下板２８、２８の下辺に鋼板片２０、２０の下部開閉板２３、２３の下部には一対の内側下部に長手状抱持板２４、２４を固着すると共にに、この一対の長手状抱持板２４、２４は、前記捩部２５に固着された補強レバー２６、２６に固定されている。
【００１８】長手状抱持板２４、２４の下端両端部には育苗箱Ａの底部を保持するための爪片２７、２７を内側方向に突設させてある。田植え従事者は手持ち部２２を把持して閉方向に動かせば、爪片２７、２７が育苗箱の底部に入り込み、これを保持するので田植え従事者は、そのまま育苗箱Ａを自由に楽な姿勢で移動することができる。
【００１９】                                                            当
【産業上の利用可能性】日本の各所に存在する多数の比較的不定型な棚田のような水田には大型の田植え機が使用できなず、育苗箱Ａをしばしば取り替える必要があるため、水田の外周に適数個の育苗箱を配置しておく必要がある。従来はこの予備育苗箱を一箱ごとに移動していたが、本件考案によって棚田のような狭く、不定型な水田において育苗箱を田植え従事者が同時に二箱を同時に安楽な姿勢で自由に持ち運べるようにしたことにより田植え時の作業を効率的に行うことができることになる。
【図面の簡単な説明】
【００２０】
【図１】水稲用育苗箱の挟持移動具の斜視図
【図２】水稲用育苗箱の挟持移動具の正面図
【図３】本考案の使用状態を示す参考図
【図４】水稲用育苗箱の挟持移動具の他の実施例を示す斜視図。
【符号の説明】１．．．．細幅の鋼板片１ａ．．．前方鋼板片１ｂ．．．後方鋼板片３．．．．軸支部４．．．．上方斜板５．．．．下方直状鋼板片７．．．．捩部８．．．．固定連結レバー１０．．．下部抱持面１１．．．爪部Ａ．．．．育苗箱２０．．．細幅の鋼板片２１．．．軸支部２２．．．手持部２３．．  下部開閉鋼板片２４．．．長手状抱持板２５．．．捩り部２６．．  補強杆２７．．．爪片２８．．．下板
【図１】
0003196172.tif 000003
【図２】
0003196172.tif 000004
【図３】
0003196172.tif 000005
【図４】
0003196172.tif 000006